(57)【要約】【課題】視聴率管理のためにＰＯＮシステムの上り帯域を消費することなく、かつ、低コストで常時正確な視聴率を管理することのできる視聴率管理装置を得る。【解決手段】ＯＬＴ５０に、ＩＰ−ＳＴＢ２０と視聴チャネルとの関係を示すＬＬＩＤ管理テーブル５２の管理情報に基づいて、視聴チャネル毎のＩＰ−ＳＴＢ２０の台数を算出し、視聴チャネル情報１０１として出力する視聴チャネル情報生成部５５を設ける。１〜複数のＯＬＴ５０の視聴チャネル情報生成部５５から出力された視聴チャネル情報１０１は、視聴チャネル情報収集部８０で収集され、視聴率管理部９０は、収集された視聴チャネル情報１０１に基づいて視聴率を求める。【選択図】図１
2008160718.tif 000002
【特許請求の範囲】
【請求項１】
加入者端末を収容する加入者側装置と局側装置とが光伝送媒体を介して接続され、前記局側装置より前記加入者端末に対して複数のチャネルのデータをマルチキャスト通信するＰＯＮシステムにおいて、
前記局側装置は、
前記加入者端末がどのチャネルを視聴しているかを示す加入者視聴管理テーブルと、
前記加入者視聴管理テーブルの管理情報に基づいて視聴チャネル毎の加入者端末数を算出する視聴チャネル情報生成部とを備え、
かつ、前記視聴チャネル情報生成部で算出された視聴チャネル情報に基づいて視聴率を求める視聴率管理部とを備えたＰＯＮシステム。
【請求項２】
視聴チャネル情報生成部は、視聴チャネルがない加入者端末の数も含めて視聴チャネル情報を生成し、
視聴率管理部は、特定の視聴チャネルの視聴率を求める場合、当該特定の視聴チャネルの加入者端末数を、何れかの視聴チャネルの加入者端末数と前記視聴チャネルがない加入者端末数との合計で除算することを特徴とする請求項１記載のＰＯＮシステム。
【請求項３】
加入者端末を収容する加入者側装置と局側装置とが光伝送媒体を介して接続され、前記局側装置によって、データ配信サーバから送信された複数チャネルのデータを前記加入者端末に対してマルチキャスト通信するＰＯＮシステムにおいて、
前記局側装置は、
前記加入者端末から、視聴チャネルを示すレポートメッセージを受けた場合、前記データ配信サーバへの代理応答を行うと共に、視聴チャネル毎に廃棄したメッセージの数をカウントするプロキシ機能部と、
前記プロキシ機能部における廃棄数に基づいて、視聴チャネル毎の加入者端末数を算出する視聴チャネル情報生成部とを備え、
かつ、前記視聴チャネル情報生成部で算出された視聴チャネル情報に基づいて視聴率を求める視聴率管理部とを備えたＰＯＮシステム。
【請求項４】
プロキシ機能部は、複数の加入者端末よりレポートメッセージを受けた場合、そのうちの一つを代表としてデータ配信サーバへの代理応答を行い、
視聴チャネル情報生成部は、前記プロキシ機能部から出力された廃棄数に１を加えた数を、前記データ配信サーバから送信されたクエリメッセージに対して視聴チャネルとして選択している加入者端末の数として視聴チャネル情報を生成することを特徴とする請求項３記載のＰＯＮシステム。
【発明の詳細な説明】
【技術分野】
【０００１】
この発明は、局側装置、加入者側装置、及びそれらを接続する伝送媒体を有し、ＭＡＣ（Ｍｅｄｉａ  Ａｃｃｅｓｓ  Ｃｏｎｔｒｏｌ）フレームによるデータ送受信及びＶＬＡＮ（Ｖｉｒｔｕａｌ  Ｌｏｃａｌ  Ａｒｅａ  Ｎｅｔｗｏｒｋ）機能を実現しつつ、論理リンクと呼ばれる仮想的な通信コネクションを用いた通信を行うＰＯＮ（Ｐａｓｓｉｖｅ  Ｏｐｔｉｃａｌ  Ｎｅｔｗｏｒｋ）システムに関するものであり、特にＰＯＮシステムを用いたマルチキャスト通信における視聴率管理方法に関するものである。
【背景技術】
【０００２】
イーサネット（登録商標）ＰＯＮシステムは、局側装置（ＯＬＴ：Ｏｐｔｉｃａｌ  Ｌｉｎｅ  Ｔｅｒｍｉｎａｌ）と複数の加入者側装置（ＯＮＵ：Ｏｐｔｉｃａｌ  Ｎｅｔｗｏｒｋ  Ｕｎｉｔ）を光伝送媒体で接続し、ＭＡＣフレームによりデータ送受信を行うことにより、ＰＯＮシステムにイーサネットサービスを透過的に収容するものである。ＯＬＴは、通信網事業者局に設置され、ＯＮＵは、加入者の宅内や屋外に設置される。ＯＮＵは、１〜複数の加入者端末を収容する。
【０００３】
一方、広く普及しているＩＰ通信におけるマルチキャストの実現方法として、ＩＧＭＰ（Ｉｎｔｅｒｎｅｔ  Ｇｒｏｕｐ  Ｍａｎａｇｅｍｅｎｔ  Ｐｒｏｔｏｃｏｌ）やＭＬＤ（Ｍｕｌｔｉｃａｓｔ  Ｌｉｓｔｅｎｅｒ  Ｄｉｓｃｏｖｅｒｙ）を用いる方法がある。ＩＧＭＰやＭＬＤは、ＩＰマルチキャストグループの管理に使用されるプロトコルであり、マルチキャストをサポートするマルチキャストルータとマルチキャストパケットを受信するホストによって使用される。その動作は、次の通りである。
【０００４】
マルチキャストルータは、定期的に照会メッセージ（Ｑｕｅｒｙメッセージ）をマルチキャストし、各ホストからのレポートメッセージ（Ｒｅｐｏｒｔメッセージ）の有無でメンバーを把握する。ホストは、グループに参加するとき、または照会メッセージに対し、レポートメッセージを返信する。ホストがグループから離脱するとき、離脱メッセージ（Ｌｅａｖｅメッセージ）を通知するか、レポートメッセージを返信しなくする。
【０００５】
このようなＩＧＭＰやＭＬＤを用いたマルチキャスト通信をＰＯＮシステム上で提供する方法が、例えば特許文献１に示されている。特許文献１では、論理リンクを用いた通信を行うＰＯＮシステムにおいて、ＩＰ網に接続されるＯＬＴは、ＩＧＭＰやＭＬＤのメッセージをスヌープした結果に応じてマルチキャスト用論理リンクの設定制御を行うと共に、マルチキャスト通信のための暗号鍵配布を行う。加えてＯＬＴは、ＩＧＭＰやＭＬＤのメッセージに関するプロキシ（Ｐｒｏｘｙ）機能を有している。
【０００６】
このような構成を用いる事でＰＯＮシステム上でのマルチキャスト通信が実現され、映像配信サービスに適用される。映像配信サービスは、ＯＬＴのＩＰ網側に接続される映像配信サーバと、ＯＮＵの加入者端末側に接続されるＩＰ−ＳＴＢ（Ｉｎｔｅｒｎｅｔ  Ｐｒｏｔｏｃｏｌ−Ｓｅｔ  Ｔｏｐ  Ｂｏｘ）にて提供される。ユーザはＩＰ−ＳＴＢにて視聴チャネルを選択し、映像配信サーバからマルチキャスト通信にて配信されている映像データから希望するチャネルを視聴する。
【０００７】
マルチキャスト通信による映像配信サービスにおける視聴率管理は、様々な方法が提案されており、例えば、特許文献２に示されているように、情報生成装置が、マルチキャストツリーの根に相当する根中継装置によって測定されるマルチキャストデータを受信するデータ受信装置の数に基づいて視聴率を求めるようにしたものがあった。
【０００８】
このような視聴率管理をＰＯＮシステムに適用した場合、ＰＯＮシステム上でのマルチキャスト通信における視聴率の算出については、ＩＰ−ＳＴＢが前述のデータ受信装置にあたり、ＩＰ−ＳＴＢが接続されるＯＮＵが前述の中継装置にあたる。
【０００９】
【特許文献１】特開２００４−３４３２４３号公報
【特許文献２】特開２００４−１６５９１５号公報
【発明の開示】
【発明が解決しようとする課題】
【００１０】
従来の視聴率管理システムをＰＯＮシステムに適用した場合、ＯＮＵがＩＰ−ＳＴＢの視聴チャネルを監視し、ＰＯＮシステムにおけるインチャネルまたは別途設けられた視聴チャネル情報専用回線を用いて、ＯＬＴを経由した視聴チャネル情報収集部に対して視聴チャネル情報を送信することになる。
【００１１】
この様な従来の視聴率管理方法では、常時正確な視聴率を管理するためにはＯＮＵから頻繁に監視結果である視聴チャネル情報を視聴チャネル情報収集部へ伝える必要がある。このような視聴チャネル情報を、ＰＯＮシステムのインチャネルを用いて伝える構成ではＰＯＮシステムにおける上り帯域を消費する問題があった。また、加入者の宅内や屋外に設置されるＯＮＵと通信網事業者局に設置されるＯＬＴの間に視聴チャネル情報専用回線を設置するには費用がかかりコスト面で実現が困難であった。
【００１２】
この発明は上記のような課題を解決するためになされたもので、視聴率管理のためにＰＯＮシステムの上り帯域を消費することなく、かつ、低コストで常時正確な視聴率を管理することのできる視聴率管理装置を得ることを目的とする。
【課題を解決するための手段】
【００１３】
この発明に係るＰＯＮシステムは、局側装置に、加入者端末がどのチャネルを視聴しているかを示す加入者視聴管理テーブルと、加入者視聴管理テーブルの管理情報に基づいて視聴チャネル毎の加入者端末数を算出する視聴チャネル情報生成部とを設け、視聴チャネル情報生成部で算出された視聴チャネル情報に基づいて視聴率管理部が視聴率を求めるようにしたものである。
【発明の効果】
【００１４】
この発明のＰＯＮシステムは、局側装置の視聴チャネル情報生成部で視聴チャネル情報を算出し、この視聴チャネル情報に基づいて視聴率管理部で視聴率を求めるようにしたので、視聴率管理のためにＰＯＮシステムの上り帯域を消費することなく、かつ、低コストで常時正確な視聴率を管理することができる。
【発明を実施するための最良の形態】
【００１５】
実施の形態１．
図１は、この発明の実施の形態１による視聴率管理装置を含むＰＯＮシステムを示す構成図である。
図において、ＰＯＮシステムは、ＴＶモニタ１０、ＩＰ−ＳＴＢ２０、ＯＮＵ３０、光伝送媒体４０、ＯＬＴ５０、ＩＰ網６０、映像配信サーバ７０、視聴チャネル情報収集部８０、視聴率管理部９０を備えている。ＴＶモニタ１０は、ＩＰ−ＳＴＢ２０に対して一対一に接続され、ＩＰ−ＳＴＢ２０で受信された映像データを表示する映像表示装置であり、ＩＰ−ＳＴＢ２０と共に加入者端末を構成している。ＩＰ−ＳＴＢ２０は、ＯＮＵ３０に収容される１〜複数のデータ受信装置である。ＯＮＵ３０は、１〜複数のＩＰ−ＳＴＢ２０を収容する加入者側装置であり、フィルタエントリテーブル３１とフィルタ３２を備えている。フィルタエントリテーブル３１は、マルチキャスト論理リンク毎に透過させるべき映像データが登録されるテーブルであり、フィルタ３２は、フィルタエントリテーブル３１にエントリ登録されていない映像データをフィルタリングするためのフィルタである。
【００１６】
光伝送媒体４０は、ＯＮＵ３０とＯＬＴ５０とを接続するための光伝送路を構成する光ファイバからなるものである。ＯＬＴ５０は、局側装置であり、スヌープ機能部５１、ＬＬＩＤ管理テーブル５２、フィルタ制御部５３、プロキシ機能部５４、視聴チャネル情報生成部５５を備えている。スヌープ機能部５１は、ＩＰ−ＳＴＢ２０と映像配信サーバ７０間でやり取りされるＩＧＭＰまたはＭＬＤのメッセージをスヌープし、スヌープした結果に基づいてＬＬＩＤ管理テーブル５２の情報設定を行う機能部である。ＬＬＩＤ管理テーブル５２は、１〜複数のＩＰ−ＳＴＢ２０がそれぞれどのチャネルを視聴しているかを示す加入者視聴管理テーブルである。フィルタ制御部５３は、ＬＬＩＤ管理テーブル５２の内容に基づいて、ポイント・ポイント論理リンクを介してＯＮＵ３０に具備されているフィルタエントリテーブル３１に、マルチキャスト論理リンク毎に透過させるべき映像データをエントリ登録する制御部である。プロキシ機能部５４は、ＩＰ−ＳＴＢ２０からのＩＧＭＰパケットやＭＬＤパケットを終端し、ＩＰ−ＳＴＢ２０の代理でこれらパケットを映像配信サーバ７０側に送信するといったプロキシ（Ｐｒｏｘｙ）機能を有するものである。視聴チャネル情報生成部５５は、ＬＬＩＤ管理テーブル５２の内容に基づいて、視聴チャネル毎のＩＰ−ＳＴＢ２０の台数を測定し、これを視聴チャネル情報１０１として出力する機能部である。
【００１７】
ＩＰ網６０は、ＯＬＴ５０と、映像配信サーバ７０や視聴チャネル情報収集部８０とを通信接続するためのＩＰネットワークである。映像配信サーバ７０は、ＩＰ網６０を介してＯＬＴ５０側に映像データを配信するためのデータ配信サーバである。視聴チャネル情報収集部８０は、ＩＰ網６０に接続される複数のＯＬＴ５０の視聴チャネル情報生成部５５から送出された視聴チャネル情報１０１を収集する機能部であり、視聴率管理部９０は、視聴チャネル情報収集部８０で収集された視聴チャネル情報に基づいて視聴率を求めるための管理部である。
【００１８】
次に、実施の形態１の動作について説明する。
ここで、マルチキャストデータ受信装置であるＩＰ−ＳＴＢ２０が参加するマルチキャストグループを視聴チャネルと呼び、その他のマルチキャストグループを単にチャネルと呼ぶ。また、ＩＰ−ＳＴＢ２０がマルチキャストグループに参加する事を視聴チャネルの選択と呼び、配信されるマルチキャストデータを映像データと呼ぶ。
【００１９】
ＰＯＮシステムにおけるマルチキャスト通信では、ＩＰ−ＳＴＢ２０毎にマルチキャスト用論理リンクを設定する。ＯＬＴ５０におけるスヌープ機能部５１は、ＩＰ−ＳＴＢ２０と映像配信サーバ７０間でやり取りされるＩＧＭＰまたはＭＬＤのメッセージをスヌープする。スヌープした結果から、ＬＬＩＤ管理テーブル５２にてマルチキャスト用論理リンク毎に配信するべき映像データを管理する。
【００２０】
図２は、ＬＬＩＤ管理テーブル５２での管理情報の例を示す説明図である。
ＯＬＴ５０は、ＩＰ−ＳＴＢ２０毎にマルチキャスト用論理リンクを設定し、ＩＰ−ＳＴＢ２０が接続されるＯＮＵ３０のＯＮＵ番号と組み合わせて管理する。あるＯＮＵ３０に新たなＩＰ−ＳＴＢ２０が接続された場合、新たに接続されたＩＰ−ＳＴＢ２０に対して新たなマルチキャスト用論理リンクを設定し、接続されるＯＮＵ３０のＯＮＵ番号と共にＬＬＩＤ管理テーブル５２に追加される。即ち、任意のＩＰ−ＳＴＢ２０の電源が投入され、いずれかのＯＮＵ３０配下に接続された時点でＬＬＩＤ管理テーブル５２に登録される。ここで、初期状態では視聴チャネルはＮＵＬＬ状態であり、視聴チャネルが選択されるまではこのＩＰ−ＳＴＢ２０はどのチャネルも視聴していない状態とする。一方、ＩＰ−ＳＴＢ２０が取り外された場合は、対応するマルチキャスト用論理リンクを解除し、ＬＬＩＤ管理テーブル５２からも削除する。
【００２１】
即ち、ＯＬＴ５０のプロキシ機能部５４は、映像配信サーバ７０から送信されたチャネル毎の照会メッセージ（Ｑｕｅｒｙメッセージ）を全ＯＮＵ３０配下のＩＰ−ＳＴＢ２０に転送する。これらのＱｕｅｒｙメッセージに対して、チャネルを選択したＩＰ−ＳＴＢ２０は、レポートメッセージ（Ｒｅｐｏｒｔメッセージ）を応答する。Ｒｅｐｏｒｔメッセージを受信した時点で、ＯＬＴ５０のスヌープ機能部５１はどのＯＮＵ３０の配下に視聴するＩＰ−ＳＴＢ２０が存在するかを把握できるため、ＯＮＵ番号とＲｅｐｏｒｔメッセージに含まれるＩＰ−ＳＴＢ２０のＭＡＣアドレスと視聴チャネルとをＬＬＩＤ管理テーブル５２に登録する。
【００２２】
ＩＰ−ＳＴＢ２０からのＲｅｐｏｒｔメッセージがＯＬＴ５０から映像配信サーバ７０に転送されると、映像配信サーバ７０は選択されたチャネルの映像データをＯＬＴ５０に対して送信する。ＯＬＴ５０のフィルタ制御部５３は、ＬＬＩＤ管理テーブル５２に登録されたＯＮＵ３０に対して、その映像データを透過できるようにフィルタ３２を設定する。例えば、ＭＡＣアドレスフィルタ方式の場合、透過するマルチキャストアドレスをＯＮＵ３０のフィルタ３２に設定する。その結果、Ｒｅｐｏｒｔメッセージを応答したＩＰ−ＳＴＢ２０は、映像データを受信できることになる。
【００２３】
次に、このようなＬＬＩＤ管理テーブル５２の管理情報を用いて視聴チャネル情報生成部５５が視聴チャネル情報を生成する処理について説明する。
図３は、視聴チャネル情報生成部５５にて生成される視聴チャネル情報１０１の例を示す説明図である。
視聴チャネル情報生成部５５は、ＬＬＩＤ管理テーブル５２の情報から視聴チャネル毎に当該視聴チャネルを選択しているＩＰ−ＳＴＢ２０の台数を集計する。この時、視聴チャネルがないＩＰ−ＳＴＢ２０、即ち、ＯＮＵ３０には接続されているがどのチャネルも視聴していないＩＰ−ＳＴＢ２０の台数についても集計する。そして、集計した結果を視聴チャネル情報１０１として視聴チャネル情報収集部８０に伝える。
【００２４】
視聴チャネル情報収集部８０は、ＩＰ網６０に接続される１〜複数のＯＬＴ５０から伝えられる視聴チャネル情報１０１より視聴チャネル毎に当該視聴チャネルを選択しているＩＰ−ＳＴＢ２０の台数を合計する。この時、視聴チャネルがないＩＰ−ＳＴＢ２０の台数についても合計する。それらの結果を視聴率管理部９０に伝え、視聴率管理部９０にて視聴チャネル毎に当該視聴チャネルを選択しているＩＰ−ＳＴＢ２０の台数を、何れかの視聴チャネルを選択しているＩＰ−ＳＴＢ２０の台数と視聴チャネルがないＩＰ−ＳＴＢ２０の台数の合計で除することにより、視聴率を算出する。
【００２５】
以上のように、実施の形態１のＰＯＮシステムによれば、加入者端末を収容する加入者側装置と局側装置とが光伝送媒体を介して接続され、局側装置より加入者端末に対して複数のチャネルのデータをマルチキャスト通信するＰＯＮシステムにおいて、局側装置は、加入者端末がどのチャネルを視聴しているかを示す加入者視聴管理テーブルと、加入者視聴管理テーブルの管理情報に基づいて視聴チャネル毎の加入者端末数を算出する視聴チャネル情報生成部とを備え、かつ、視聴チャネル情報生成部で算出された視聴チャネル情報に基づいて視聴率を求める視聴率管理部とを備えたので、常時正確な視聴率を管理するために視聴チャネル情報収集部が頻繁に視聴チャネル情報を収集しても、視聴チャネル情報生成部がＯＬＴに具備されているため、ＰＯＮシステムにおける上り帯域を消費することもなく、ＰＯＮシステムにおける上り帯域を有効に活用できる。また、加入者の宅内や屋外に設置されるＯＮＵと通信網事業者局に設置されるＯＬＴの間に視聴チャネル情報専用回線を設置する必要もないため、安価で視聴率を管理することが可能となる。
【００２６】
また、実施の形態１のＰＯＮシステムにおいては、視聴チャネル情報生成部は、視聴チャネルがない加入者端末の数も含めて視聴チャネル情報を生成し、視聴率管理部は、特定の視聴チャネルの視聴率を求める場合、特定の視聴チャネルの加入者端末数を、何れかの視聴チャネルの加入者端末数と視聴チャネルがない加入者端末数の合計で除算することで、正確な視聴率を容易に管理することができる。
【００２７】
実施の形態２．
図４は、実施の形態２におけるＰＯＮシステムの構成図である。
図において、ＰＯＮシステムは、ＴＶモニタ１０、ＩＰ−ＳＴＢ２０、ＯＮＵ３０、光伝送媒体４０、ＯＬＴ５０、ＩＰ網６０、映像配信サーバ７０、視聴チャネル情報収集部８０、視聴率管理部９０からなり、ＯＬＴ５０内の構成以外は実施の形態１と同様であるため、これらの構成に関する説明は省略する。
【００２８】
ＯＬＴ５０は、スヌープ機能部５１、ＬＬＩＤ管理テーブル５２、フィルタ制御部５３、プロキシ機能部５４ａ、視聴チャネル情報生成部５６からなり、プロキシ機能部５４ａと視聴チャネル情報生成部５６以外の構成は、実施の形態１と同様である。プロキシ機能部５４ａは、実施の形態１のプロキシ機能部５４と同様に、映像配信サーバ７０から送信されたチャネル毎のＱｕｅｒｙメッセージを全ＯＮＵ３０配下のＩＰ−ＳＴＢ２０に転送する（通過させる）機能を有すると共に、複数のＩＰ−ＳＴＢ２０からＲｅｐｏｒｔメッセージを受けた場合に、そのうちの一つを代表として映像配信サーバ７０への代理応答とし、かつ、視聴チャネル毎に廃棄したメッセージの数をカウントして視聴チャネル情報生成部５６に通知する機能を有している。視聴チャネル情報生成部５６は、プロキシ機能部５４ａから通知されたチャネル毎の廃棄数に基づいて、その廃棄数に１を加えた数を、映像配信サーバ７０から送信されたＱｕｅｒｙメッセージに対して視聴チャネルとして選択しているＩＰ−ＳＴＢ２０の台数として視聴チャネル情報１０１を生成する機能を有している。
【００２９】
次に、実施の形態２の動作について説明する。
ＯＬＴ５０に具備されるプロキシ機能部５４ａは、ＯＬＴ５０の配下に接続される全ＩＰ−ＳＴＢ２０からのＩＧＭＰまたはＭＤＬのメッセージについてＰｒｏｘｙ機能を行う。プロキシ機能部５４ａは、映像配信サーバ７０からのＱｕｅｒｙメッセージに対するＲｅｐｏｒｔメッセージとして本来応答するべきＩＰ−ＳＴＢ２０からのＲｅｐｏｒｔメッセージの全ては映像配信サーバ７０へは送信せず、Ｒｅｐｏｒｔメッセージの代表を１メッセージのみ送信する。その際、代表メッセージ以外のＲｅｐｏｒｔメッセージは廃棄される。プロキシ機能部５４ａは、映像データごとに廃棄されたＲｅｐｏｒｔメッセージの数をカウントする。
【００３０】
図５は、プロキシ機能部５４ａで管理する情報を示す説明図である。
プロキシ機能部５４ａでは、映像データ毎に廃棄されたＲｅｐｏｒｔメッセージの数をカウントするため、廃棄されたＲｅｐｏｒｔメッセージの数に１を加えた数が映像配信サーバ７０からＱｕｅｒｙメッセージを送信された時点での対応する映像データを視聴チャネルとして選択しているＩＰ−ＳＴＢ２０の数とみなすことが出来る。視聴チャネル情報生成部５６は、プロキシ機能部５４ａにてカウントしているＲｅｐｏｒｔメッセージの廃棄数に１を加えた数を配信先ＩＰ−ＳＴＢ２０の台数として図３に示す視聴チャネル情報１０１を生成し、視聴チャネル情報収集部８０に伝える。これ以降の視聴チャネル情報収集部８０の動作と、視聴率管理部９０における視聴率を求める動作は実施の形態１と同様である。
【００３１】
以上のように、実施の形態２のＰＯＮシステムによれば、加入者端末を収容する加入者側装置と局側装置とが光伝送媒体を介して接続され、局側装置によって、データ配信サーバから送信された複数チャネルのデータを加入者端末に対してマルチキャスト通信するＰＯＮシステムにおいて、局側装置は、加入者端末から、視聴チャネルを示すレポートメッセージを受けた場合、データ配信サーバへの代理応答を行うと共に、視聴チャネル毎に廃棄したメッセージの数をカウントするプロキシ機能部と、プロキシ機能部における廃棄数に基づいて、視聴チャネル毎の加入者端末数を算出する視聴チャネル情報生成部とを備え、かつ、視聴チャネル情報生成部で算出された視聴チャネル情報に基づいて視聴率を求める視聴率管理部とを備えたので、視聴チャネル情報生成部がＯＬＴに具備されているため、ＰＯＮシステムにおける上り帯域を消費することもなく、ＰＯＮシステムにおける上り帯域を有効に活用できる。また、加入者の宅内や屋外に設置されるＯＮＵと通信網事業者局に設置されるＯＬＴの間に視聴チャネル情報専用回線を設置する必要もないため、安価で視聴率を管理することが可能となる。
【００３２】
また、実施の形態２のＰＯＮシステムによれば、プロキシ機能部は、複数の加入者端末よりレポートメッセージを受けた場合、そのうちの一つを代表としてデータ配信サーバへの代理応答を行い、視聴チャネル情報生成部は、プロキシ機能部から出力された廃棄数に１を加えた数を、データ配信サーバから送信されたクエリメッセージに対して視聴チャネルとして選択している加入者端末の数として視聴チャネル情報を生成するようにしたので、正確な視聴率を容易に管理することができる。
【００３３】
尚、上述した実施の形態１、２におけるＰＯＮシステム上でのマルチキャスト通信にて映像配信サービスを実現する構成は、ＯＬＴ５０にフィルタ制御部５３を具備し、ＯＮＵ３０のフィルタ３２にてフィルタエントリテーブル３１に登録されている透過させるべき映像データ以外をフィルタリングしているが、ＰＯＮシステムにおける下り信号を映像データ毎に異なる暗号鍵でＯＬＴ５０にて暗号化し、ＯＮＵ３０にて選択した視聴チャネルの映像データのみを復号することでも実現可能である。ＯＬＴ５０にて映像データ毎の復号鍵を管理し、マルチキャスト用論理リンクが選択した視聴チャネルに対応する映像データの復号鍵をポイント・ポイント論理リンクを介して当該マルチキャスト用論理リンクが属するＯＮＵ３０に具備する復号部に伝えることで、選択した視聴チャネルのみが復号されて視聴可能となり、それ以外の視聴チャネルは復号できずに視聴不可能となる。
【図面の簡単な説明】
【００３４】
【図１】この発明の実施の形態１によるＰＯＮシステムを示す構成図である。
【図２】この発明の実施の形態１によるＰＯＮシステムのＬＬＩＤ管理テーブルの管理情報を示す説明図である。
【図３】この発明の実施の形態１によるＰＯＮシステムの視聴チャネル情報を示す説明図である。
【図４】この発明の実施の形態２によるＰＯＮシステムを示す構成図である。
【図５】この発明の実施の形態２によるＰＯＮシステムの視聴チャネルと廃棄されたＲｅｐｏｒｔメッセージ数との関係を示す説明図である。
【符号の説明】
【００３５】
２０  ＩＰ−ＳＴＢ、３０  ＯＮＵ、４０  光伝送媒体、５０  ＯＬＴ、５１  スヌープ機能部、５２  ＬＬＩＤ管理テーブル、５４，５４ａ  プロキシ機能部、５５，５６  視聴チャネル情報生成部、７０  映像配信サーバ、９０  視聴率管理部、１０１  視聴チャネル情報。
【図１】
2008160718.tif 000003
【図２】
2008160718.tif 000004
【図３】
2008160718.tif 000005
【図４】
2008160718.tif 000006
【図５】
2008160718.tif 000007